(57)【要約】      （修正有）【課題】静電容量式タッチパネルを用いた場合においても、意図せぬタッチによる誤操作を抑え、正確な操作を容易にする。【解決手段】タッチパネル０３の操作を行うための立体的な形状を有し、操作主体による操作を行う際に導電体が触れ得る接触部０５と、タッチパネル０３に近接あるいは接触して対向する対向部０６と、電気的接続部０７ａとを備える。接触部０５の、操作主体が操作の際に触れる部分の少なくとも一部が第一の導体０７ｂであり、対向部６における、タッチパネル３に対向する対向面０８の少なくとも一部を含む部分が、第二の導体０７ｃである。第一の導体０７ｂと、第二の導体０７ｃとが電気的接続部０７ａにより電気的に接続されている。【選択図】図１
2016206764.tif 000002
【特許請求の範囲】
【請求項１】
タッチパネルの操作を行うための立体的な形状を有するタッチパネル操作器具であり、
操作主体による前記操作を行う際に導電体が触れ得る接触部と、
前記タッチパネルに近接あるいは接触して対向し得る対向部と、
電気的接続部とを備え、
前記接触部の、前記操作主体が前記操作の際に触れる部分の少なくとも一部が第一の導体であり、
前記対向部における、前記タッチパネルに対向する対向面の少なくとも一部を含む部分が、第二の導体であり、
前記第一の導体と、前記第二の導体とが電気的接続部により電気的に接続されている、タッチパネル操作器具。
【請求項２】
前記導電体が操作主体である、請求項１に記載されたタッチパネル操作器具。
【請求項３】
前記操作により、前記接触部の少なくとも一部が移動することにより、前記対向部の少なくとも一部が移動する、請求項１又は２に記載されたタッチパネル操作器具。
【請求項４】
前記操作により、前記接触部の少なくとも一部が回転することにより、前記対向部の少なくとも一部が、前記タッチパネルに近接して対向したまま回転する、請求項１乃至３のいずれか一に記載されたタッチパネル操作器具。
【請求項５】
前記操作により、前記接触部の少なくとも一部がスライドすることにより、前記対向部の少なくとも一部が、前記タッチパネルに近接して対向したままスライドする、請求項１乃至４のいずれか一に記載されたタッチパネル操作器具。
【請求項６】
前記操作により、前記接触部の少なくとも一部が前記タッチパネルの表面に略垂直方向に移動することにより、前記対向部の少なくとも一部が、前記タッチパネルに対向したまま前記タッチパネルの表面に略垂直方向に移動する、請求項１乃至５のいずれか一に記載されたタッチパネル操作器具。
【請求項７】
前記接触部の前記タッチパネル上への設置ができ、前記設置を行った状態でタッチパネルの操作を行うことができる、請求項１乃至６のいずれか一に記載されたタッチパネル操作器具。
【請求項８】
前記接触部を前記タッチパネル上に設置しない状態でタッチパネルの操作を行うことができる、請求項１乃至７のいずれか一に記載されたタッチパネル操作器具。
【請求項９】
前記対向部を固定することが可能であり、前記タッチパネルに固定することが可能な絶縁板をさらに備える、請求項１乃至８のいずれか一に記載されたタッチパネル操作器具。
【請求項１０】
前記絶縁板が、前記タッチパネルから取り外し可能な、請求項９に記載されたタッチパネル操作器具。
【発明の詳細な説明】
【技術分野】
【０００１】
本発明は、タッチパネルを備える装置に関する。
【背景技術】
【０００２】
販売店等にあるＰＯＳ（Ｐｏｉｎｔ  ｏｆ  ｓａｌｅ  ｓｙｓｔｅｍ）やカラオケ店等でみられる電子目次本などの特定用途端末は、多機能、低価格などの理由からスマートデバイスを特定用途端末化したものを用いる風潮が見られる。しかし、市場に出ているスマートデバイスは、ハードウェアキーを排除し、静電容量式タッチパネルを唯一のユーザインタフェースとしたものが多い。タッチパネルのみでの操作では、意図せぬタッチによる誤操作が生じやすく、正確な操作が困難であることから利用環境、用途が限られてしまう。
【０００３】
この課題を解決する方法として、特許文献１には、背面に凸部を設けた回転操作部が回転できるように設けたシートをタッチパネルディスプレイの前面に設けてなる操作部つきタッチパネルディスプレイが開示されている。特許文献１には、さらに、スライド操作部が移動できるように設けたシートをタッチパネルディスプレイの前面に設けてなる操作部つきタッチパネルディスプレイが開示されている。
【０００４】
また、本願発明に関係して、特許文献２に、静電容量式タッチパネルが開示されている。
【先行技術文献】
【特許文献】
【０００５】
【特許文献１】特開平１１−３２７７８６号公報
【特許文献２】特開２０１０−１４０３６９号公報
【発明の概要】
【発明が解決しようとする課題】
【０００６】
しかしながら、特許文献１に開示された方法は、押圧タイプのタッチパネルを前提とした方法であるため、そのままでは、静電容量式タッチパネルには適用できないという問題がある。
【０００７】
本発明は、静電容量式タッチパネルを用いた場合においても、意図せぬタッチによる誤操作を抑え、正確な操作を容易にするタッチパネル装置の提供を目的とする。
【課題を解決するための手段】
【０００８】
本発明のタッチパネル操作器具は、タッチパネルの操作を行うための立体的な形状を有するタッチパネル操作器具であり、操作主体による前記操作を行う際に導電体が触れ得る接触部を備える。本発明のタッチパネル操作器具は、さらに、前記タッチパネルに近接あるいは接触して対向し得る対向部と、電気的接続部とを備える。前記接触部の、前記操作主体が前記操作の際に触れる部分の少なくとも一部が第一の導体であり、前記対向部における、前記タッチパネルに対向する対向面の少なくとも一部を含む部分が、第二の導体である。前記第一の導体と、前記第二の導体とが電気的接続部により電気的に接続されている。
【発明の効果】
【０００９】
本発明のタッチパネル操作器具は、静電容量式タッチパネルを用いた場合においても、タッチパネルの操作部が平面的な形状であるが故の、意図せぬタッチによる誤操作を抑え、より正確なタッチ操作を容易にする。
【図面の簡単な説明】
【００１０】
【図１】第一実施形態の本実施形態のタッチパネル操作器具を表わす概念図である。
【図２】操作を行う前における、タッチパネルに設置されたタッチパネル操作器具を表わす概念図である。
【図３】操作主体が第一の導体に接触した場合における、タッチパネルに設置されたタッチパネル操作器具を表わす概念図である。
【図４】レールが２本の場合の、スライド式操作器具の例を表わす概念図である。
【図５】操作主体がスライド式操作器具の操作を行う前における、タッチパネルに設置されたスライド式操作器具を表わす概念図である。
【図６】操作主体が、操作部の上面を含む部分に接触した場合における、タッチパネルに設置されたスライド式操作器具を表わす概念図である。
【図７】操作主体が、操作部の上面を含む部分に接触した場合における、タッチパネルに設置されたスライド式操作器具を表わす概念図である。
【図８】一部のみが導体である操作部の例を表わす概念図である。
【図９】一部のみが導体である操作部の例を表わす概念図である。
【図１０】レールが１本の場合の、スライド式操作器具の例を表わす概念図である。
【図１１】絶縁板上に固定された、レールが１本のスライド式操作器具を表わす概念図である。
【図１２】回転式操作器具の例を表わす概念図である。
【図１３】操作主体が回転式操作器具の操作を行う前における、タッチパネルに設置された回転式操作器具を表わす概念図である。
【図１４】操作主体が、操作部の上面を含む部分に接触した場合における、タッチパネルに設置された回転式操作器具を表わす概念図である。
【図１５】操作部を回転させた後における、タッチパネルに設置された回転式操作器具を表わす概念図である。
【図１６】回転式操作器具０４ｅの変形例を表わす概念図である。
【図１７】絶縁板上に固定した回転式操作器具を表わす概念図である。
【図１８】タッチ式操作器具の例を表わす概念図である。
【図１９】操作主体がタッチ式操作器具の操作を行う前における、タッチパネルに設置されたタッチ式操作器具を表わす概念図である。
【図２０】操作主体が、導体部の上面を含む部分に接触した場合における、タッチパネルに設置されたタッチ式操作器具を表わす概念図である。
【図２１】絶縁板上に固定したタッチ式操作器具を表わす概念図である。
【図２２】タッチ式操作器具の変形例を表わす概念図である。
【図２３】絶縁板上に固定したタッチ式操作器具を表わす概念図である。
【図２４】押圧式操作器具の例を表わす概念図である。
【図２５】操作主体が押圧式操作器具の操作を行う前における、タッチパネルに設置された押圧式操作器具を表わす概念図である。
【図２６】操作主体が、導体部の上面を含む部分に接触した場合における、タッチパネルに設置された押圧式操作器具を表わす概念図である。
【図２７】操作主体が導体部の上面を押圧した場合における、タッチパネルに設置された押圧式操作器具を表わす概念図である。
【図２８】遠隔操作器具の例を表わす概念図である。
【図２９】操作主体が遠隔操作部の操作を行う前における、タッチパネルに設置された押圧式操作器具を表わす概念図である。
【図３０】操作主体が導体部の上面を含む部分に接触した場合における、その一部がタッチパネルに設置された遠隔操作器具を表わす概念図である。
【図３１】遠隔操作部及び導体線の変形例を表わす概念図である。
【図３２】遠隔操作部の操作を表わすイメージ図である。
【図３３】タッチパネル装置の代表例を表わすイメージ図である。
【図３４】本発明の最小構成のタッチパネル操作器具の構成を表わす概念図である。
【発明を実施するための形態】
【００１１】
＜第一実施形態＞
本実施形態は、本発明のタッチパネル操作器具についての実施形態である。
［構成］
図１は、本実施形態のタッチパネル操作器具を表わす概念図である。同図は、本実施形態のタッチパネル操作器具を、タッチパネルに設置した状態を表わしている。
【００１２】
本実施形態のタッチパネル操作器具０４は、タッチパネル操作器具０４の外部であるタッチパネル０３の操作を行うための、立体的な形状を有する操作器具であり、接触部０５と、電気的接続部０７ａと、対向部０６とを備える。
【００１３】
接触部０５は、図示しない操作主体による前記操作を行う際に導電体を触れさせる部分であり、その操作主体が操作の際に触れる部分の少なくとも一部は、第一の導体０７ｂである。
【００１４】
対向部０６は、そのタッチパネル０３に対向する面である対向面０６ａが、タッチパネルに近接しているか、或いは、接触している。同図では対向面０６ａが、タッチパネルに近接している場合を示してある。また、対向部０６のうちの、対向面０６ａの少なくとも一部を含む部分は、第二の導体０７ｃである。
【００１５】
第一の導体０７ｂと第二の導体０７ｃとは電気的接続部０７ａにより電気的に接続されている。
【００１６】
上記説明において「少なくとも一部」には、当然に、全部が含まれる。
【００１７】
操作主体は、典型的には人であるが、機械、ロボット、人以外の生物等であっても構わない。また、操作主体が操作にものを使う場合には、操作主体には操作主体により使われるものが含まれることとする。
【００１８】
導電体は、第一の導体０７ｂに接触することによりその第一の導体０７ｂと電気的に接続されるものであり、操作主体が導体である場合の操作主体、金属製の機械、金属柱、金属ドア、地面等、水、水溶液等である。
【００１９】
接触部０５は、操作主体が操作を行う際に触れる限りにおいて、その形状は任意である。
【００２０】
対向部０６は、対向面０６ａがタッチパネル０３に対向し得る限りにおいて、その形状は任意である。
【００２１】
第一の導体０７ｂを構成する導体及び第二の導体０７ｃを構成する導体は金属に限定されない。
【００２２】
電気的接続部０７ａは、第一の導体０７ｂと第二の導体０７ｃとを電気的に接続し得る限りにおいてその形状は任意であり、典型的には、第一の導体０７ｂ及び第二の導体０７ｃと物理的に接続された導体である。
【００２３】
接触部０５と対向部０６とは一体の構造であってもよい。
【００２４】
電気的接続部０７ａと第一の導体０７ｂとは一体の構造であってもよい。電気的接続部０７ａと第二の導体０７ｃとは一体の構造であってもよい。さらに、電気的接続部０７ａと第一の導体０７ｂと第二の導体０７ｃとは一体の構造であってもよい。
［動作］
以下においては、タッチパネルが静電容量式タッチパネルの場合について、タッチパネル操作器具を設置したタッチパネルの動作を説明する。
【００２５】
図２は、操作主体が本タッチパネル操作器具の操作を行う前における、タッチパネル、及び、同タッチパネルに設置されたタッチパネル操作器具を表わす概念図である。
【００２６】
タッチパネル０３において第二の導体０７ｃに対向する部分である、第二の導体への対向部０９は、第二の導体０７ｃに存在する電子の影響を受け、タッチパネル０３が内蔵するコンデンサに電子を蓄えあるいは外部に放出する部分である。この内蔵するコンデンサに蓄えられる電子の変化により、静電容量式タッチパネルの周知の動作により、出力電圧が発生する。図２に示した操作主体が第一の導体０７ｂに接触していない状態では、内蔵するコンデンサに蓄えられる電子は一定であるので、第二の導体への対向部０９において出力電圧は発生しない。
【００２７】
図３は、操作主体が、タッチパネル操作器具の操作を行うために、第一の導体に接触した場合における、タッチパネル、及び、同タッチパネルに設置されたタッチパネル操作器具を表わす概念図である。
【００２８】
操作主体１００が第一の導体０７ｂに接触した場合、操作主体１００の電位が第一の導体０７ｂの電位よりも低い場合には、操作主体１００から第一の導体０７ｂに電子が流れ込む。さらに、電子は、電気的接続部０７ａ及び第二の導体０７ｃに流れ込む。この電子により、第二の導体０７ｃと静電気的にカップリングしている第二の導体への対向部０９に内蔵されるコンデンサへ電子が流れ込み、第二の導体への対向部０９に関する電圧情報がタッチパネルから出力される。すなわち、タッチパネル操作器具０４を通じて、タッチパネル０３が操作される。
【００２９】
一方、操作主体１００の電位が第一の導体０７ｂの電位よりも高い場合には、第一の導体０７ｂから操作主体１００へ電子が流出する。そして、電気的接続部０７ａを通じて第二の導体０７ｃから電子が流出する。この電子の減少により、第二の導体０７ｃと静電気的にカップリングする第二の導体０７ｃへの対向部０９に内蔵されるコンデンサから外部へ電子が流出する。これにより、静電容量式タッチパネルの周知の動作により、第二の導体０７ｃへの対向部０９に関する電圧情報がタッチパネルから出力される。すなわち、タッチパネル操作器具０４を通じて、タッチパネル０３が操作される。
［効果］
本実施形態のタッチパネル操作器具は、［構成］において説明したように、その形状は任意ではあるものの、平面的な形状ではなく立体的な形状を有し、さらに静電容量式タッチパネルの操作が可能である。そのため、本実施形態のタッチパネル操作器具は、静電容量式タッチパネルを用いた場合においても、タッチパネルの操作部が平面的な形状であるが故の、意図せぬタッチによる誤操作の発生を抑えることができる。さらに、本実施形態のタッチパネル操作器具は、タッチ操作する範囲が、タッチパネルに対向する部分に露出する第二の導体の形状により定まるので、より正確なタッチ操作を容易にする。
＜第二実施形態＞
本実施形態は、タッチパネル操作器具が、タッチパネル操作器具が備える操作部をスライドできるスライド式操作器具である場合についての実施形態である。
［構造］
図４は、レールが２本の場合の、スライド式操作器具の例を表わす概念図である。同図は、スライド式操作器具を、スライド式操作器具の外部であるタッチパネルに設置した状態を表わしている。同図（ａ）はスライド式操作器具を設置したタッチパネルを上から見た場合を想定した上面図であり、同図（ｂ）は矢印３０ｂａの方向から見た場合を想定した図であり、同図（ｃ）は矢印３０ｂｂの方向から見た場合を想定した図である。
【００３０】
スライド式操作器具０４ｂａは、レール１０ｂａと、レール１０ｂｂと、操作部１１ｂとを備える。
【００３１】
レール１０ｂａとレール１０ｂｂとは、同図に表わしたように、タッチパネル０３ｂ上に互いに平行になるように設置されている。また、タッチパネル０３ｂ上に設置したレール１０ｂａ及びレール１０ｂｂは、同図に表わした構造により、操作部１１ｂをタッチパネル０３ｂに接触させ、もしくはタッチパネル０３ｂの近傍に保持させる。また、同図に表わした構造により、その上で、操作部１１ｂをレール１０ｂａ及びレール１０ｂｂと平行な方向にスライドさせることができる。
【００３２】
操作部１１ｂは、導体で構成されている。操作部１１ｂの形状、及びレール１０ｂａ及びレール１０ｂｂの構造は、同図のような形状及び構造には限定されない。その形状及び構造は、操作部１１ｂをタッチパネル０３ｂに接触させ、もしくはその近傍に保持させつつ、レール１０ｂａ及びレール１０ｂｂと平行な方向にスライドさせられる限りにおいて任意である。
［動作］
以下においては、タッチパネルが静電容量式タッチパネルの場合について、本実施形態のスライド式操作器具を設置したタッチパネルの動作を説明する。
【００３３】
図５は、操作主体がスライド式操作器具の操作を行う前における、タッチパネル、及び、同タッチパネルに設置されたスライド式操作器具を表わす概念図である。
【００３４】
タッチパネル０３ｂにおける、操作部１１ｂの下面を含む部分（第二の導体０７ｃｂ）に対向する部分である、第二の導体０７ｃｂへの対向部０９ｂａは、操作部１１ｂに存在する電子の影響を受ける。そして、同部分は、タッチパネル０３ｂが内蔵するコンデンサに電子を蓄えあるいは外部に放出する。この内蔵するコンデンサに蓄えられる電子の変化により、静電容量式タッチパネルの周知の動作により、出力電圧が発生する。図５に表わした操作主体が操作部の上面を含む部分に接触していない状態では、内蔵するコンデンサに蓄えられる電子の量は一定であるので、第二の導体０７ｃｂへの対向部０９ｂａにおいて出力電圧は発生しない。
【００３５】
図６は、操作主体が、スライド式操作器具の操作を行うために、操作部の上面を含む部分（図１における第一の導体０７ｂに相当する。）に接触した場合における、タッチパネル、及び、同タッチパネルに設置されたスライド式操作器具を表わす概念図である。
【００３６】
同図に表わしたように、操作主体１００が操作部１１ｂの上面に接触した場合、操作主体１００から操作部１１ｂに電子が流れ込むか、もしくは、操作部１１ｂから操作主体１００に電子が流出する。この電子の移動により、操作部１１ｂの下面（第二の導体０７ｃｂ）と静電気的にカップリングしている第二の導体０７ｃｂへの対向部０９ｂａに内蔵されるコンデンサへ電子が流れ込み、或いは同コンデンサから電子が流出する。それにより、第二の導体０７ｃｂへの対向部０９ｂａに関する電圧情報がタッチパネルから出力される。
【００３７】
そして、図７に表わしたように、操作主体１００が図６に表わした矢印３０ｘの方向に操作部１１ｂをスライドさせる。すると、スライド後の操作部１１ｂの下面を含む部分（第二の導体０７ｃｂ）と静電気的にカップリングしている第二の導体０７ｃｂへの対向部０９ｂｂに内蔵されるコンデンサへ電子が流れ込み、或いは同コンデンサから電子が流出する。それにより、第二の導体０７ｃｂへの対向部０９ｂａに関する電圧情報がタッチパネルから出力される。
【００３８】
上記のようにして、スライド式操作器具０４ｂａを通じて、タッチパネル０３ｂが操作される。
［変形例］
図８は、図４に表わした構成のレールをタッチパネル上に直接固定せずに絶縁板上に固定したスライド式操作器具を表わす概念図である。同図には、図４（ｃ）に対応する図を表わした。
【００３９】
スライド式操作器具０４ｂｂは、レール１０ｂａと、レール１０ｂｂと、操作部１１ｂと、絶縁板２６ｂとを備える。
【００４０】
レール１０ｂａ及びレール１０ｂｂは、絶縁板２６ｂ上に固定される。絶縁板２６ｂは、スライド式操作器具０４ｂｂの外部であるタッチパネル０３ｂ上に固定される。
【００４１】
レール１０ｂａと、レール１０ｂｂと、操作部１１ｂとを設置した絶縁板２６ｂは、タッチパネル０３ｂに固定することが可能であればよく、タッチパネル０３ｂから取り外し可能であっても構わない。絶縁板２６ｂをタッチパネル０３ｂから取り外し可能な場合には、操作主体は、タッチパネル０３ｂの操作に、スライド式操作器具０４ｂｂを利用したい場合のみスライド式操作器具０４ｂｂを装着して利用することができる。そして、操作主体は、その他の場合には、スライド式操作器具０４ｂｂの装着されていないタッチパネル０３ｂを利用することができる。
【００４２】
スライド式操作器具をタッチパネル上に直接固定せずに、絶縁板の上に固定し、その絶縁板をタッチパネル上に設置した場合には、製造が容易になるメリットもある。この場合には、スライド式操作器具を予め作成した部品をまず製造し、その部品をタッチパネルに設置すればよいためである。
【００４３】
操作部は必ずしもその全部が導体により構成されている必要はなく、第一実施形態の図１に表わした構成と対応付けられる構成である限りにおいては、一部のみが導体により構成されていても構わない。
【００４４】
図９は、一部のみが導体である操作部の例を表わす概念図である。同図（ａ）は操作部を設置したタッチパネルを上から見た場合を想定した上面図であり、同図（ｂ）は矢印３０ｃａの方向から見た場合を想定した図であり、同図（ｃ）は矢印３０ｃｂの方向から見た場合を想定した図である。
【００４５】
操作部１１ｃは、導体部２０と、絶縁部２１とを備える。
【００４６】
操作部上面２２の全面においては導体部２０が露出しており、操作部下面２３においては、同図に表わしたようにその一部のみに導体部２０が露出しており、それ以外の部分は絶縁部２１が露出している。
【００４７】
レールは１本であっても構わない。
【００４８】
図１０は、レールが１本の場合の、本実施形態のスライド式操作器具の例を表わす概念図である。同図は、スライド式操作器具を、スライド式操作器具の外部であるタッチパネルに設置した状態を表わしている。同図（ａ）はスライド式操作器具を設置したタッチパネルを上から見た場合を想定した上面図であり、同図（ｂ）は矢印３０ａａの方向から見た場合を想定した図であり、同図（ｃ）は矢印３０ａｂの方向から見た場合を想定した図である。
【００４９】
スライド式操作器具０４ａａは、レール１０ａと、操作部１１ａとを備える。レール１０ａは、タッチパネル０３ａの操作部上部に固定されている。操作部１１ａには、同図に表わしたようにレールが嵌り、かつ同図（ａ）における向かって横方向にスライドできるようにレールを受ける部分である、レール受け１２が設けられている。同図（ｃ）に表わされたレール受け１２の断面形状及びレール１０ａの断面形状は、レール受け１２がレール１０ａを受けることができる形状である。その形状は、同図（ａ）における横方向に操作部１１ａがスライドでき、操作部１１ａがレール１０ａから外れにくい限りにおいて、任意である。
【００５０】
操作部１１ａは、導体により構成されている。操作部１１ａの形状は同図に示したものに限定されず、任意である。
【００５１】
本実施形態のスライド式操作器具は必ずしもタッチパネル上に直接固定される必要はない。本実施形態のスライド式操作器具を絶縁板の上に固定し、その絶縁板をタッチパネル上に設置してもよい。
【００５２】
図１１は、絶縁板上に固定された、レールが１本のスライド式操作器具を表わす概念図である。同図には、図１０（ｃ）に対応する方向のものを表わした。
【００５３】
スライド式操作器具０４ａｂは、レール１０ａと、操作部１１ａと、絶縁板２６ａとを備える。
【００５４】
レール１０ａは、絶縁板２６ａ上に固定される。絶縁板２６ａは、スライド式操作器具０４ａｂの外部であるタッチパネル０３ａ上に固定される。
【００５５】
レール１０ａと、操作部１１ａとを設置した絶縁板２６ａは、タッチパネル０３ａに固定することが可能であればよく、タッチパネル０３ａから取り外し可能であっても構わない。絶縁板２６ａをタッチパネル０３ａから取り外し可能な場合には、タッチパネル０３ａの操作に、スライド式操作器具０４ａｂを利用したい場合に、操作主体は、スライド式操作器具０４ａｂを装着したタッチパネル０３ａを利用することができる。そして、その他の場合には、操作主体は、スライド式操作器具０４ａｂの装着されていないタッチパネル０３ａを利用することができる。
【００５６】
スライド式操作器具をタッチパネル上に直接固定せずに、絶縁板の上に固定し、その絶縁板をタッチパネル上に設置した場合には、製造が容易になるメリットもある。この場合には、スライド式操作器具を予め作成した部品をまず製造し、その部品をタッチパネルに設置すればよいためである。
［効果］
本実施形態のタッチ式操作器具は、立体的な形状を有するので、操作部が平面のみから構成されるタッチパネルのみの場合と比較して、操作主体が操作すべき部分が明確である。そのため、意図せぬタッチによる誤操作の発生を抑えることができる。
【００５７】
また、本実施形態のスライド式操作器具は、レールによって操作方向が定められるので、レールにそって正確に静電容量式タッチパネルをタッチ操作することが可能である。そのため、本実施形態のスライド型操作器具は、静電容量式タッチパネルを用いた場合においても、より正確なスライドタッチ操作を容易にする。
【００５８】
本実施形態のタッチ式操作器具は、静電容量式タッチパネルのタッチ操作が可能であるので、静電容量式タッチパネルのタッチ操作を行う場合にも上記効果を得ることができる。
＜第三実施形態＞
本実施形態は、タッチパネル操作器具が、タッチパネル操作器具が備える操作部を回転できる回転式操作器具である場合についての実施形態である。
［構成］
図１２は、本実施形態の回転式操作器具の例を表わす概念図である。同図は、回転式操作器具を、回転式操作器具の外部であるタッチパネルに設置した状態を表わしている。同図（ａ）は回転式操作器具を設置したタッチパネルを上から見た場合を想定した上面図であり、同図（ｂ）は切断面４０ｅａで切断した場合を想定した図であり、同図（ｃ）切断面４０ｅｂで切断した場合を想定した図である。
【００５９】
回転式操作器具０４ｅは、操作部台座２４ｅと、操作部１１ｅとを備える。
【００６０】
操作部台座２４ｅは、タッチパネル０３ｅに固定されており、導体部２０ｅと、絶縁部２１ｅとを備える。
【００６１】
導体部２０ｅは、同図に表わしたように、その操作部上面２２ｅのすべてに導体部２０ｅが露出し、その操作部下面２３ｅの一部に導体部２０ｅが円状に露出している。操作部下面２３ｅの導体部２０ｅが露出している部分以外の部分には、絶縁体２１ｅが露出している。
【００６２】
操作部下面２３ｅに露出した導体部２０ｅの面は、タッチパネルに接触するか近接している。
【００６３】
円筒状の操作部１１ｅの側面には、その円周方向に溝１３ｅが形成されている。
【００６４】
操作部台座２４ｅは、その台座上端１４ｅが溝１３ｅに嵌るような構造になっている。台座上端１４ｅと、溝１３ｅ部における操作部１１ｅの面との間には隙間があり、この隙間により操作部１１ｅは円周方向に回転することができる。
［動作］
以下においては、タッチパネルが静電容量式タッチパネルの場合について、本実施形態の回転式操作器具を設置したタッチパネルの動作を説明する。
【００６５】
図１３は、操作主体が回転式操作器具の操作を行う前における、タッチパネル、及び、同タッチパネルに設置された回転式操作器具を表わす概念図である。同図（ａ）は回転式操作器具を設置したタッチパネルを上から見た場合を想定した上面図であり、同図（ｂ）は切断面４０ｅｃで切断した場合を想定した図である。
【００６６】
タッチパネル０３ｄにおける、第二の導体０７ｃｅへの対向部０９ｄａは、操作部１１ｅに存在する電子の影響を受け、タッチパネル０３ｄが内蔵するコンデンサに電子を蓄えあるいは外部に放出する部分である。ここで、第二の導体０７ｃｅへの対向部０９ｄａは、操作部１１ｅの下面を含む部分（第二の導体０７ｃｅ）に対向する部分である。この内蔵するコンデンサに蓄えられる電子の変化により、静電容量式タッチパネルの周知の動作により、出力電圧が発生する。図１３に表わした操作主体が操作部１１ｅの上面を含む部分に接触していない状態では、内蔵するコンデンサに蓄えられる電子の量は一定であるので、第二の導体０７ｃｅへの対向部０９ｄａにおいて出力電圧は発生しない。
【００６７】
図１４は、操作主体が、回転式操作器具の操作を行うために、操作部１１ｅの上面を含む部分（図１における第一の導体０７ｂに相当する。）に接触した場合における、タッチパネル、及び、同タッチパネルに設置された回転式操作器具を表わす概念図である。同図（ａ）は回転式操作器具を設置したタッチパネルを上から見た場合を想定した上面図であり、同図（ｂ）は切断面４０ｅｂで切断した場合を想定した図である。また、操作主体１００は同図（ａ）においては省略してある。
【００６８】
同図に表わしたように、操作主体１００が操作部１１ｅの上面に接触した場合、操作主体１００から操作部１１ｄに電子が流れ込むか、もしくは、操作部１１ｄから操作主体１００に電子が流出する。この電子の移動により、操作部１１ｄの下面を含む部分（第二の導体０７ｃｅ）と静電気的にカップリングしている第二の導体０７ｃｅへの対向部０９ｄａに内蔵されるコンデンサへ電子が流れ込み、或いは同コンデンサから電子が流出する。これにより、第二の導体０７ｃｅへの対向部０９ｄａに関する電圧情報がタッチパネルから出力される。
【００６９】
図１５は、操作部１１ｅを回転させた後におけるタッチパネル、及び、同タッチパネルに設置された回転式操作器具を表わす概念図である。同図（ａ）は回転式操作器具を設置したタッチパネルを上から見た場合を想定した上面図であり、同図（ｂ）は切断面４０ｅｃで切断した場合を想定した図である。また、操作主体１００は同図（ａ）においては省略してある。
【００７０】
図１５に表わしたように、操作主体１００が操作部１１ｄを回転させる。すると、回転後の操作部１１ｄの下面を含む部分（第二の導体０７ｃｅ）と静電気的にカップリングしている第二の導体０７ｃｅへの対向部０９ｄｂに内蔵されるコンデンサへ電子が流れ込み、或いは同コンデンサから電子が流出する。それにより、第二の導体０７ｃｅへの対向部０９ｄｂに関する電圧情報がタッチパネルから出力される。
【００７１】
上記のようにして、回転式操作器具０４ｅを通じて、タッチパネル０３ｄが操作される。
［変形例］
図１６は、図１２に表わした回転式操作器具０４ｅの変形例０４ｄａを表わす概念図である。同図は、回転式操作器具を、回転式操作器具の外部であるタッチパネルに設置した状態を表わしている。同図（ａ）は回転式操作器具を設置したタッチパネルを上から見た場合を想定した上面図であり、同図（ｂ）は切断面４０ｄａで切断した場合を想定した図であり、同図（ｃ）切断面４０ｄｂで切断した場合を想定した図である。
【００７２】
同図に表わした回転式操作器具０４ｄａは、操作部１１ｄの操作部下面２３ｄに露出する導体部２０ｄの形状のみが、図１２に表わした回転式操作器具０４ｅと異なり、長方形に類似した形状である。この変形例からも理解されるように、操作部１１ｄを構成する導体部２０ｄの形状はさまざまに変形可能である。
【００７３】
その他の構成についての説明は、図１２における対応する構成についての説明と同じであるので、省略する。
【００７４】
図１７は、図１２に表わした回転式操作器具０４ｄａをタッチパネル上に直接固定せずに絶縁板上に固定した回転式操作器具を表わす概念図である。同図には、図４（ｃ）に対応する方向のものを表わした。
【００７５】
回転式操作器具０４ｄｂは、操作部台座２４ｄと、操作部１１ｄと、絶縁板２６ｄとを備える。
【００７６】
操作部台座２４ｄは、絶縁板２６ｄ上に固定される。絶縁板２６ｄは、回転式操作器具０４ｄｂの外部であるタッチパネル０３ｄ上に固定される。
【００７７】
操作部台座２４ｄと、操作部１１ｄとを設置した絶縁板２６ｄは、タッチパネル０３ｄに固定することが可能であればよく、タッチパネル０３ｄから取り外し可能であっても構わない。絶縁板２６ｄをタッチパネル０３ｄから取り外し可能な場合には、操作主体は、タッチパネル０３ｄの操作に、回転式操作器具０４ｄｂを利用したい場合のみ回転式操作器具０４ｄｂを装着して利用することができる。そして、回転式操作器具０４ｄｂを利用したくない場合には、操作主体は、回転式操作器具０４ｄｂの装着されていないタッチパネル０３ｄを利用することができる。
【００７８】
回転式操作器具をタッチパネル上に直接固定せずに、絶縁板の上に固定し、その絶縁板をタッチパネル上に設置した場合には、製造が容易になるメリットもある。この場合には、回転式操作器具を予め作成した部品をまず製造し、その部品をタッチパネルに設置すればよいためである。
［効果］
本実施形態の回転式操作器具は、立体的な形状を有するので、操作部が平面のみから構成されるタッチパネルのみの場合と比較して、操作主体が操作すべき部分が明確である。そのため、意図せぬタッチによる誤操作の発生を抑えることができる。
【００７９】
本実施形態の回転式操作器具は、台座によって操作部の回転操作方向が定められるので、静電容量式タッチパネルを操作部の回転方向に正確にタッチ操作することが可能である。そのため、本実施形態の回転式操作器具は、静電容量式タッチパネルを用いた場合においても、正確な回転タッチ操作をより容易にすることができる。
【００８０】
本実施形態の回転式操作器具は、静電容量式タッチパネルのタッチ操作が可能であるので、静電容量式タッチパネルのタッチ操作を行う場合にも上記効果を得ることができる。
＜第四実施形態＞
本実施形態は、タッチパネル操作器具が、タッチパネル操作器具にタッチすることによりタッチパネルを操作するタッチ式操作器具である場合についての実施形態である。
【００８１】
図１８は、本実施形態のタッチ式操作器具０４ｆａの例を表わす概念図である。同図は、タッチ式操作器具０４ｆａを、タッチ式操作器具０４ｆａの外部であるタッチパネルに設置した状態を表わしている。同図（ａ）はタッチ式操作器具０４ｆａを設置したタッチパネルを上から見た場合を想定した上面図であり、同図（ｂ）は切断面４０ｆａで切断した場合を想定した図であり、同図（ｃ）切断面４０ｆｂで切断した場合を想定した図である。
【００８２】
タッチ式操作器具０４ｆａは、導体部２０ｆを備える。
【００８３】
導体部２０ｆはタッチパネル０３ｆ上に固定されている。導体部２０ｆを構成する導体は、代表的には金属であるが、金属に限定されない。また、導体部２０ｆは立体的な形状を有するが、その形状は任意である。
［動作］
以下においては、タッチパネルが静電容量式タッチパネルの場合について、本実施形態のタッチ式操作器具０４ｆａを設置したタッチパネルの動作を説明する。
【００８４】
図１９は、操作主体がタッチ式操作器具０４ｆａの操作を行う前における、タッチパネル、及び、同タッチパネルに設置されたタッチ式操作器具０４ｆａを表わす概念図である。
【００８５】
タッチパネル０３ｆにおける、第二の導体０７ｃｆへの対向部０９ｆａは、導体部２０ｆに存在する電子の影響を受け、タッチパネル０３ｆが内蔵するコンデンサに電子を蓄えあるいは外部に放出する部分である。ここで、第二の導体０７ｃｆへの対向部０９ｆａは、導体部２０ｆの下面を含む部分（第二の導体０７ｃｆ）に対向する部分である。この内蔵するコンデンサに蓄えられる電子の変化により、静電容量式タッチパネルの周知の動作により、出力電圧が発生する。同図に表わした状態では、内蔵するコンデンサに蓄えられる電子の量は一定であるので、第二の導体０７ｃｆへの対向部０９ｆａにおいて出力電圧は発生しない。
【００８６】
図２０は、操作主体１００が、タッチ式操作器具０４ｆａの操作を行うために、導体部２０ｆの上面を含む部分（図１における第一の導体０７ｂに相当する。）に接触した場合における、タッチパネル、及び、同タッチパネルに設置されたタッチ式操作器具０４ｆａを表わす概念図である。
【００８７】
同図に表わしたように、操作主体１００が導体部２０ｆの上面に接触した場合、操作主体１００から導体部２０ｆに電子が流れ込むか、もしくは、導体部２０ｆから操作主体１００に電子が流出する。この電子の移動により、導体部２０ｆの下面（第二の導体０７ｃｆ）と静電気的にカップリングしている第二の導体０７ｃｆへの対向部０９ｆａに内蔵されるコンデンサへ電子が流れ込み、或いは同コンデンサから電子が流出する。これにより、第二の導体０７ｃｆへの対向部０９ｆａに関する電圧情報がタッチパネルから出力される。
【００８８】
上記のようにして、タッチ式操作器具０４ｆａを通じて、タッチパネル０３ｆが操作される。
［変形例］
タッチ式操作器具は絶縁部を備えていても構わず、絶縁部を備えることにより、例えば、タッチ式操作器具の上面に露出した導体部の形状と、タッチ式操作器具の下面に露出した導体部の形状とが異なっていても構わない。
【００８９】
図２１は、図１８に表わしたタッチ式操作器具０４ｆａをタッチパネル上に直接固定せずに絶縁板上に固定したタッチ式操作器具を表わす概念図である。同図には、図１８（ｃ）に対応する方向のものを表わした。
【００９０】
タッチ式操作器具０４ｆｂは、導体部２０ｆと、絶縁板２６ｆとを備える。
【００９１】
導体部２０ｆは、絶縁板２６ｆ上に固定される。絶縁板２６ｆは、タッチ式操作器具０４ｆｂの外部であるタッチパネル０３ｆ上に固定される。
【００９２】
導体部２０ｆを設置した絶縁板２６ｆは、タッチパネル０３ｆに固定することが可能であればよく、タッチパネル０３ｆから取り外し可能であっても構わない。絶縁板２６ｆをタッチパネル０３ｆから取り外し可能な場合には、操作主体は、タッチパネル０３ｆの操作に、タッチ式操作器具０４ｆｂを利用したい場合のみタッチ式操作器具０４ｆｂを装着して利用することができる。そして、タッチ式操作器具０４ｆｂを利用したくない場合には、操作主体は、タッチ式操作器具０４ｆｂの装着されていないタッチパネル０３ｆを利用することができる。
【００９３】
タッチ式操作器具をタッチパネル上に直接固定せずに、絶縁板の上に固定し、その絶縁板をタッチパネル上に設置した場合には、製造が容易になるメリットもある。この場合には、タッチ式操作器具を予め作成した部品をまず製造し、その部品をタッチパネルに設置すればよいためである。
【００９４】
図２２は、図１８に表わしたタッチ式操作器具の変形例を表わす概念図である。同図は、タッチ式操作器具を、タッチ式操作器具の外部であるタッチパネルに設置した状態を表わしている。同図（ａ）はタッチ式操作器具を設置したタッチパネルを上から見た場合を想定した上面図であり、同図（ｂ）は切断面４０ｇａで切断した場合を想定した図であり、同図（ｃ）切断面４０ｇｂで切断した場合を想定した図である。
【００９５】
タッチ式操作器具０４ｇａは、絶縁部２１ｇと、導体部２０ｇとを備える。
【００９６】
絶縁部２１ｇは、タッチ式操作器具０４ｇａの外部であるタッチパネル０３ｇに固定されている。
【００９７】
絶縁部２１ｇには、同図に表わしたように、導体部２０ｇが固定されている。
【００９８】
導体部２０ｇの下面は、タッチパネル０３ｇに近接して対向している。
【００９９】
図２３は、図２２に表わしたタッチ式操作器具０４ｇａをタッチパネル上に直接固定せずに絶縁板上に固定したタッチ式操作器具を表わす概念図である。同図には、図２２（ｃ）に対応する方向のものを表わした。
【０１００】
タッチ式操作器具０４ｇｂは、導体部２０ｇと、絶縁板２６ｇを備える。
【０１０１】
導体部２０ｇは、絶縁板２６ｇ上に固定される。絶縁板２６ｇは、タッチ式操作器具０４ｇｂの外部であるタッチパネル０３ｇ上に固定される。
【０１０２】
導体部２０ｇを設置した絶縁板２６ｇは、タッチパネル０３ｇに固定することが可能であればよく、タッチパネル０３ｇから取り外し可能であっても構わない。絶縁板２６ｇをタッチパネル０３ｇから取り外し可能な場合には、操作主体は、タッチパネル０３ｇの操作に、タッチ式操作器具０４ｇｂを利用したい場合のみタッチ式操作器具０４ｇｂを装着して利用することができる。そして、タッチ式操作器具０４ｇｂを利用したくない場合には、操作主体は、タッチ式操作器具０４ｇｂの装着されていないタッチパネル０３ｇを利用することができる。
【０１０３】
タッチ式操作器具をタッチパネル上に直接固定せずに、絶縁板の上に固定し、その絶縁板をタッチパネル上に設置した場合には、製造が容易になるメリットもある。この場合には、タッチ式操作器具を予め作成した部品をまず製造し、その部品をタッチパネルに設置すればよいためである。
［効果］
本実施形態のタッチ式操作器具は、立体的な形状を有するので、操作部が平面のみから構成されるタッチパネルのみの場合と比較して、操作主体が操作すべき部分が明確である。そのため、意図せぬタッチによる誤操作の発生を抑えることができる。
【０１０４】
また、本実施形態のタッチ式操作器具は、タッチ式操作器具のタッチパネルに対向する面に露出する導体部の形状によりタッチ操作する範囲が定められる。そのため、より正確なタッチ範囲についてのタッチ操作を容易にする。
【０１０５】
本実施形態のタッチ式操作器具は、静電容量式タッチパネルのタッチ操作が可能であるので、静電容量式タッチパネルのタッチ操作を行う場合にも上記効果を得ることができる。
＜第五実施形態＞
本実施形態は、タッチパネル操作器具が、タッチパネル操作器具を押圧することによりタッチパネルを操作する押圧式操作器具である場合についての実施形態である。
［構成］
図２４は、本実施形態の押圧式操作器具の例を表わす概念図である。同図（ａ）は押圧式操作器具０４ｈを設置したタッチパネルを上から見た場合を想定した上面図であり、同図（ｂ）は切断面４０ｈａで切断した場合を想定した図であり、同図（ｃ）切断面４０ｈｂで切断した場合を想定した図である。
【０１０６】
押圧式操作器具０４ｈは、弾性絶縁体２５ｈと、導体部２０ｈとを備える。
【０１０７】
弾性絶縁体２５ｈは、押圧により伸縮可能な絶縁体であり、同図に示したようにタッチパネル０３ｈ上に固定されている。
【０１０８】
導体部２０ｈの端部は、同図に表わしたように、弾性絶縁体２５ｈに固定されている。
【０１０９】
弾性絶縁体２５ｈは、上下方向に伸縮可能な限り、その形状や材質は任意である。弾性絶縁体２５ｈは、例えば、ゴム状の物質や絶縁性を有するばねを用いることができる。
【０１１０】
また、押圧式操作器具は、必ずしも同図に表わしたように、タッチパネル上に固定されている必要はなく、タッチパネルの構成要素とは別の絶縁板に固定されていても構わない。この場合において、押圧式操作器具は、タッチパネルから取り外し可能であっても構わない。押圧式操作器具がタッチパネルから取り外し可能な場合には、操作主体は、タッチパネルの操作に押圧式操作器具を利用したい場合のみ押圧式操作器具を装着して利用することができる。そして、押圧式操作器具を利用したくない場合には、操作主体は、押圧式操作器具の装着されていないタッチパネルを利用することができる。
【０１１１】
押圧式操作器具をタッチパネル上に直接固定せずに、絶縁板の上に固定し、その絶縁板をタッチパネル上に設置した場合には、製造が容易になるメリットもある。この場合には、押圧式操作器具を予め作成した部品をまず製造し、その部品をタッチパネルに設置すればよいためである。
［動作］
以下においては、タッチパネルが静電容量式タッチパネルの場合について、本実施形態の押圧式操作器具を設置したタッチパネルの動作を説明する。
【０１１２】
図２５は、操作主体が押圧式操作器具の操作を行う前における、タッチパネル、及び、同タッチパネルに設置された押圧式操作器具を表わす概念図である。
【０１１３】
タッチパネル０３ｈにおける、第二の導体０７ｃｈへの対向部０９ｈは、導体部２０ｈが近接又は接触した場合に、導体部２０ｈに存在する電子の影響を受け、タッチパネル０３ｈが内蔵するコンデンサに電子を蓄えあるいは外部に放出する部分である。ここで、第二の導体０７ｃｈへの対向部０９ｈは、導体部２０ｈの下面を含む部分（第二の導体０７ｃｈ）に対向する部分である。この内蔵するコンデンサに蓄えられる電子の変化により、静電容量式タッチパネルの周知の動作により、出力電圧が発生する。図１５に表わした状態では、内蔵するコンデンサに蓄えられる電子の量は一定であるので、第二の導体０７ｃｈへの対向部０９ｈにおいて出力電圧は発生しない。
【０１１４】
図２６は、操作主体１００が、押圧式操作器具０４ｈの操作を行うために、導体部２０ｈの上面を含む部分（図１における第一の導体０７ｂに相当する。）に接触した場合における、タッチパネル、及び、同タッチパネルに設置された押圧式操作器具を表わす概念図である。
【０１１５】
同図に表わしたように、操作主体１００が導体部２０ｈの上面に接触した場合、操作主体１００から導体部２０ｈに電子が流れ込むか、もしくは、導体部２０ｈから操作主体１００に電子が流出する。しかしながら、この段階では、導体部２０ｈの下面はタッチパネル０３ｈに近接していないので、この電子の移動により、導体部２０ｈの下面（図１における第二の導体０７ｃに相当する。）と対向するタッチパネル０３ｈの部分である第二の導体への対向部０９ｈに内蔵されるコンデンサに電子が流れ込み、或いは同コンデンサから電子が流出することはない。そのため、第二の導体への対向部０９ｈに関する電圧情報はタッチパネルから出力されない。
【０１１６】
図２７は、同図に表わした矢印３０ｙの方向に、操作主体１００が導体部２０ｈの上面を押圧した場合における、タッチパネル、及び、同タッチパネルに設置された押圧式操作器具を表わす概念図である。
【０１１７】
操作主体１００による上記押圧により、弾性絶縁体２５ｈが縮み、導体部２０ｈの下面がタッチパネル０３ｈに近接すると、導体部２０ｈの下面を含む部分と第二の導体への対向部０９ｈとの間で静電気的にカップリングが生じる。そして、第二の導体への対向部０９ｈに内蔵されるコンデンサへ電子が流れ込み、或いは同コンデンサから電子が流出し、第二の導体への対向部０９ｈに関する電圧情報がタッチパネルから出力される。
【０１１８】
上記のようにして、押圧式操作器具０４ｈを通じて、タッチパネル０３ｈが操作される。
［効果］
本実施形態の押圧式操作器具は、立体的な形状を有するので、操作部が平面のみから構成されるタッチパネルのみの場合と比較して、操作主体が操作すべき部分が明確である。そのため、意図せぬタッチによる誤操作の発生を抑えることができる。
【０１１９】
また、本実施形態の押圧式操作器具は、タッチ式操作器具のタッチパネルに対向する面に露出する導体部の形状によりタッチ操作する範囲が定まるので、より正確なタッチ範囲についてのタッチ操作を容易にする。
【０１２０】
また、本実施形態のタッチ式操作器具は、押圧により押下させることができるので、押下させることにより自然な操作感を感じる操作主体に対して、より自然な操作感を与えることができる。
【０１２１】
さらに、本実施形態のタッチ式操作器具は、操作主体がタッチ式操作器具にタッチしただけではタッチパネルのタッチ操作を行わず、操作主体が押圧した場合にのみタッチ操作が可能なように設計することができる。そのように設計した場合には、単に操作主体が誤ってタッチ式操作器具にタッチした場合による誤操作を防止することができる。
【０１２２】
本実施形態のタッチ式操作器具は、静電容量式タッチパネルのタッチ操作が可能であるので、静電容量式タッチパネルのタッチ操作を行う場合にも上記効果を得ることができる。
＜第六実施形態＞
本実施形態は、タッチパネル操作器具が、操作主体が接触する接触部をタッチパネル上以外の場所にも位置させることが可能な遠隔操作器具である場合についての実施形態である。
【０１２３】
図２８は、本実施形態の遠隔操作器具の例を表わす概念図である。同図（ａ）はタッチ式操作器具を設置したタッチパネルを上から見た場合を想定した上面図であり、同図（ｂ）は矢印３０ｚの方向から見た場合を想定した図である。
【０１２４】
遠隔操作器具０４ｉは、タッチ操作部２８ｉａと、遠隔操作部２８ｉｂと、導体線２７ｉとを備える。
【０１２５】
タッチ操作部２８ｉａは、遠隔操作器具０４ｉの外部である、絶縁部２１ｉと、導体部２０ｉａとを備える。
【０１２６】
絶縁部２１ｉは、遠隔操作器具０４ｉの外部であるタッチパネル０３ｉに固定されている。
【０１２７】
絶縁部２１ｉには、同図に表わしたように、導体部２０ｉａが固定されている。
【０１２８】
導体部２０ｉａの下面は、タッチパネル０３ｉに近接して対向している。
【０１２９】
遠隔操作部２８ｉｂは、台座２９ｉと、導体部２０ｉｂとを備える。
【０１３０】
導体部２０ｉｂは、台座２９ｉの上に固定されている。
【０１３１】
遠隔操作部２８ｉｂは同図のような構造により、タッチパネル０３ｉ上以外の場所にも設置可能である。
【０１３２】
導体線２７ｉは、導体線端部２７ｉａにおいて導体２０ｉａと、導体線端部２７ｉｂにおいて導体２０ｉｂと、それぞれ電気的に接続されている。
【０１３３】
また、遠隔操作器具は、必ずしも同図に表わしたように、そのタッチ操作部がタッチパネル上に固定されている必要はなく、タッチパネルの構成要素とは別の絶縁板に固定されていても構わない。この場合において、遠隔操作器具は、タッチパネルから取り外し可能であっても構わない。遠隔操作器具がタッチパネルから取り外し可能な場合には、操作主体は、タッチパネルの操作に遠隔操作器具を利用したい場合のみ遠隔操作器具を装着して利用することができる。そして、遠隔操作器具を利用したくない場合には、操作主体は、遠隔操作器具の装着されていないタッチパネルを利用することができる。
【０１３４】
また、遠隔操作器具の、遠隔操作部がタッチ操作部から取り外し可能であっても構わない。遠隔操作部がタッチ操作部から取り外し可能な場合には、操作主体は、タッチパネルの操作に遠隔操作部を利用したい場合のみ遠隔操作部を装着して利用することができる。そして、遠隔操作部を利用したくない場合には、操作主体は、遠隔操作部の装着されていないタッチパネルを利用することができる。
【０１３５】
遠隔操作器具をタッチパネル上に直接固定せずに、絶縁板の上に固定し、その絶縁板をタッチパネル上に設置した場合には、製造が容易になるメリットもある。この場合には、遠隔操作器具を予め作成した部品をまず製造し、その部品をタッチパネルに設置すればよいためである。
【０１３６】
遠隔操作器具０４ｉの導体部２０ｉａの上面への操作主体の操作により、タッチパネル０３ｉが操作されても構わない。遠隔操作器具０４ｉの導体部２０ｉａの上面への操作主体の操作により、タッチパネル０３ｉが操作されないようにするためには、導体部２０ｉａの上面に絶縁体を設ければよい。
［動作］
以下においては、タッチパネルが静電容量式タッチパネルの場合について、本実施形態の押圧式操作器具を設置したタッチパネルの動作を説明する。
【０１３７】
図２９は、操作主体が遠隔操作部の操作を行う前における、タッチパネル、及び、同タッチパネルに設置された押圧式操作器具を表わす概念図である。
【０１３８】
タッチパネル０３ｉにおける、第二の導体０７ｃｉへの対向部０９ｉは、導体部２０ｉａに存在する電子の影響を受け、タッチパネル０３ｉが内蔵するコンデンサに電子を蓄えあるいは外部に放出する部分である。ここで、第二の導体０７ｃｉへの対向部０９ｉは、導体部２０ｉａの下面を含む部分（第二の導体０７ｃｉ）に対向する部分である。この内蔵するコンデンサに蓄えられる電子の変化により、静電容量式タッチパネルの周知の動作により、出力電圧が発生する。図２９に表わした操作主体が導体部２０ｉｂの上面を含む部分に接触していない状態では、内蔵するコンデンサに蓄えられる電子の量は一定であるので、第二の導体０７ｃｉへの対向部０９ｉにおいて出力電圧は発生しない。
【０１３９】
図３０は、操作主体１００が、遠隔操作器具０４ｉの操作を行うために、導体部２０ｉｂの上面を含む部分（図１における第一の導体０７ｂに相当する。）に接触した場合における、タッチパネル、及び、その一部が同タッチパネルに設置された遠隔操作器具を表わす概念図である。
【０１４０】
同図に表わしたように、操作主体１００が導体部２０ｉｂの上面に接触した場合、操作主体１００から導体部２０ｉｂに電子が流れ込むか、もしくは、導体部２０ｉｂから操作主体１００に電子が流出する。それにともない、導体部２０ｉｂから、導体線２７ｉを通じて、導体部２０ｉａに電子が流れ込むか、もしくは、導体部２０ｉｂから導体部２０ｉａに電子が流出する。
【０１４１】
この電子の移動により、導体部２０ｉａの下面（第二の導体０７０７ｃｉ）と対向するタッチパネル０３ｉの部分である第二の導体０７ｃｉへの対向部０９ｉに内蔵されるコンデンサに電子が流れ込み、或いは同コンデンサから電子が流出する。これにより、第二の導体０７ｃｉへの対向部０９ｉに関する電圧情報がタッチパネルから出力される。
【０１４２】
上記のようにして、遠隔操作器具０４ｉの遠隔操作部２８ｉｂの操作を通じて、タッチパネル０３ｉが操作される。
［変形例］
図３１は、遠隔操作部及び導体線の変形例を表わす概念図である。
【０１４３】
遠隔操作部２８ｊｂは、台座２９ｊと、導体部２０ｊｂとを備える。導体部２０ｊｂは、台座２９ｊに固定されており、台座２９ｊに固定されている部分以外の部分において曲面を有している。この曲面を有する部分１９ｊが、操作主体が操作の際に接触する接触部である。
【０１４４】
遠隔操作部２８ｊｂは同図のような形状により、例えば人が台座２９ｊを握りやすく設計ことができ、また、曲面を有する部分１９ｊにより、後述のような、操作主体による操作が可能になる。
【０１４５】
このように、遠隔操作部を構成する台座２９ｊ及び導体部２０ｊｂの形状は種々に変形し得る。
【０１４６】
図３１に表わした遠隔操作部２８ｊｂを備える遠隔操作器具０４ｉの場合には、図３２にイメージを表わしたように、操作主体１００が台座２９ｊを保持し、導体部２０ｊを導電体２００に押し付けることによっても、タッチパネルを操作することができる。導体部２０ｊと導電体２００との間で電子の授受が行われ、タッチパネルの第二の導体への対向部に関する電圧情報がタッチパネルから出力されるためである。この際の導電体２００としては、例えば、操作主体、地面、装置、自動車、家電等が想定される。本実施形態の遠隔操作器具について、このような利用を行う場合には、操作主体の操作部が導体でない場合にも、導体部２０ｊを選択することによりタッチパネルのタッチ操作が可能である。
［効果］
本実施形態の遠隔操作器具は、立体的な形状を有するので、操作部が平面のみから構成されるタッチパネルのみの場合と比較して、操作主体が操作すべき部分が明確である。そのため、意図せぬタッチによる誤操作の発生を抑えることができる。
【０１４７】
また、本実施形態の遠隔操作器具は、タッチ式操作器具のタッチパネルに対向する面に露出する導体部の形状によりタッチ操作する範囲が定めるので、より正確なタッチ範囲についてのタッチ操作を容易にする。
【０１４８】
さらに、本実施形態の遠隔操作器具は、遠隔操作部による遠隔操作により、タッチパネルから離れた場所からもタッチパネルを操作することができる。
【０１４９】
さらに、本実施形態の遠隔操作器具は、遠隔操作部の導体部に操作主体が接触しなくてもタッチパネルの操作を行うことが可能な構造にすることが容易である。
【０１５０】
本実施形態のタッチ式操作器具は、静電容量式タッチパネルのタッチ操作が可能であるので、静電容量式タッチパネルのタッチ操作を行う場合にも上記効果を得ることができる。
＜第七実施形態＞
第一乃至第六実施形態において説明したタッチパネル操作器具は、それらのタッチパネル操作器具についての説明において説明したタッチパネルと組み合わせることにより、それらを備えるタッチパネル装置を構成することが可能である。その場合には、タッチパネルと組み合わせるタッチパネル操作器具の種類により、第一乃至第六実施形態において説明した各効果を得ることができる。
【０１５１】
図３３には、そのようなタッチパネル装置の代表例として、タッチ式操作器具０４ｋｃと、スライド式操作器具０４ｋａと、２個の回転式操作器具０４ｋｂとを備えるタッチパネル装置０１ｋのイメージ図を示した。同図（ｂ）は、タッチパネル装置０１ｋの上面図であり、同図（ａ）はタッチパネル装置０１ｋを矢印３０ｋａの方向から見た場合を想定した図であり、同図（ｃ）はタッチパネル装置０１ｋを矢印３０ｋｂの方向から見た場合を想定した図である。
【０１５２】
タッチパネル装置０１ｋは、タッチパネル０３ｋ上に固定された絶縁板２６ｋ上にさらに固定された、スライド式操作器具０４ｋａと、２個の回転式操作器具０４ｋｂと、タッチ式操作器具０４ｋｃとを備える。
【０１５３】
なお同図では、絶縁板２６ｋがタッチパネル０３ｋから離れているように表わされているが、絶縁板２６ｋは図示されていない場所においてタッチパネル０３ｋに固定されているものとする。
【０１５４】
タッチパネル０３ｋは、近接または接触するものの有する電子の影響を受ける性質を利用するものを用いることができ、典型的には、特許文献２に開示されているような、静電容量式のものを用いることができる。
【０１５５】
タッチパネル０３ｋは、抵抗膜方式や電磁誘導方式のものを用いることもできる。ただし、抵抗膜方式や電磁誘導方式においてはタッチパネルのタッチ操作に、導電体がタッチパネルに近接するだけではなく接触することが必要な場合がある。そのような場合には、本発明の構成の中から、タッチパネルのタッチ操作の際に、タッチパネルに導体が接触する構成を選択すればよい。
【０１５６】
なお、本発明の最小構成のタッチパネル操作器具の構成を表わす概念図を図３４に示す。
【０１５７】
本発明の最小構成のタッチパネル操作器具０４ｌは、タッチパネルの操作を行うための立体的な形状を有するタッチパネル操作器具であり、操作主体による前記操作を行う際に導電体が触れ得る接触部０５ｌを備える。本発明の最小構成のタッチパネル操作器具０４ｌは、さらに、前記タッチパネルに近接あるいは接触して対向し得る対向部０６ｌと、電気的接続部０７ａｌとを備える。前記接触部０５ｌの、前記操作主体が前記操作の際に触れる部分の少なくとも一部が第一の導体０７ｂｌであり、前記対向部０６ｌにおける、前記タッチパネルに対向する対向面０８ｌの少なくとも一部を含む部分が、第二の導体０７ｃｌである。前記第一の導体０７ｂｌと、前記第二の導体０７ｃｌとは電気的接続部０７ａｌにより電気的に接続されている。
【０１５８】
本発明の最小構成のタッチパネル操作器具は、上記構成により、［発明の効果］に記載した効果を奏する。
【０１５９】
以上好ましい実施形態をあげて本発明を説明したが、本発明は必ずしも上記実施形態に限定されるものではなく、その技術的思想の範囲内において様々に変形し実施することができる。
【０１６０】
また、上記の実施形態の一部または全部は、以下の付記のようにも記述され得るが、以下には限られない。
（付記１）
タッチパネルの操作を行うための立体的な形状を有するタッチパネル操作器具であり、
操作主体による前記操作を行う際に導電体が触れ得る接触部と、
前記タッチパネルに近接あるいは接触して対向し得る対向部と、
電気的接続部とを備え、
前記接触部の、前記操作主体が前記操作の際に触れる部分の少なくとも一部が第一の導体であり、
前記対向部における、前記タッチパネルに対向する対向面の少なくとも一部を含む部分が、第二の導体であり、
前記第一の導体と、前記第二の導体とが電気的接続部により電気的に接続されている、タッチパネル操作器具。
（付記２）
前記導電体が操作主体である、付記１に記載されたタッチパネル操作器具。
（付記３）
前記操作により、前記接触部の少なくとも一部が移動することにより、前記対向部の少なくとも一部が移動する、付記１又は２に記載されたタッチパネル操作器具。
（付記４）
前記操作により、前記接触部の少なくとも一部が回転することにより、前記対向部の少なくとも一部が、前記タッチパネルに近接して対向したまま回転する、付記１乃至３のいずれか一に記載されたタッチパネル操作器具。
（付記５）
前記操作により、前記接触部の少なくとも一部がスライドすることにより、前記対向部の少なくとも一部が、前記タッチパネルに近接して対向したままスライドする、付記１乃至４のいずれか一に記載されたタッチパネル操作器具。
（付記６）
前記操作により、前記接触部の少なくとも一部が前記タッチパネルの表面に略垂直方向に移動することにより、前記対向部の少なくとも一部が、前記タッチパネルに対向したまま前記タッチパネルの表面に略垂直方向に移動する、付記１乃至５のいずれか一に記載されたタッチパネル操作器具。
（付記７）
前記操作により、前記接触部の少なくとも一部が移動しない、付記１に記載されたタッチパネル操作器具。
（付記８）
前記接触部の前記タッチパネル上への設置ができ、前記設置を行った状態でタッチパネルの操作を行うことができる、付記１乃至７のいずれか一に記載されたタッチパネル操作器具。
（付記９）
前記接触部を前記タッチパネル上に設置しない状態でタッチパネルの操作を行うことができる、付記１乃至８のいずれか一に記載されたタッチパネル操作器具。
（付記１０）
前記対向部を固定することが可能であり、前記タッチパネルに固定することが可能な絶縁板をさらに備える、付記１乃至９のいずれか一に記載されたタッチパネル操作器具。
（付記１１）
前記絶縁板が、前記タッチパネルから取り外し可能な、付記１０に記載されたタッチパネル操作器具。
（付記１２）
前記タッチパネルと、付記１乃至１１のいずれか一に記載されたタッチパネル操作器具とを備える、タッチパネル装置。
【符号の説明】
【０１６１】
０１ｋ    タッチパネル装置
０３、０３ａ、０３ｂ、０３ｄ、０３ｅ、０３ｆ、０３ｇ、０３ｈ、０３ｋ    タッチパネル
０４、０４ｌ    タッチパネル操作器具
０４ａａ、０４ａｂ、０４ｂａ、０４ｂｂ、０４ｋａ    スライド式操作器具
０４ｄａ、０４ｄｂ、０４ｅ、０４ｋｂ    回転式操作器具
０４ｆａ、０４ｆｂ、０４ｇａ、０４ｇｂ、０４ｋｃ    タッチ式操作器具
０４ｈ  押圧式操作器具
０４ｉ  遠隔操作器具
０５、０５ｌ    接触部
０６、０６ｌ    対向部
０６ａ    対向面
０７ａ、０７ａｌ    電気的接続部
０７ｂ、０７ｂｌ    第一の導体
０７ｃ、０７ｃｂ、０７ｃｅ、０７ｃｆ、０７ｃｈ、０７ｃｉ、０７ｃｌ    第二の導体
０８、０８ｌ    対向面
０９、０９ｂａ、０９ｂｂ、０９ｄａ、０９ｄｂ、０９ｆａ、０９ｈ、０９ｉ    第二の導体への対向部
１０ａ、１０ｂａ、１０ｂｂ    レール
１１ａ、１１ｂ、１１ｃ、１１ｄ    操作部
１２    レール受け
１３ｄ    溝
１４ｄ    台座上端
１９ｊ    曲面を有する部分
２０、２０ｃ、２０ｄ、２０ｅ、２０ｇ、２０ｈ、２０ｉａ、２０ｉｂ、２０ｊ    導体部
２１、２１ｇ、２１ｉ    絶縁部
２２、２２ｄ    操作部上面
２３、２３ｄ    操作部下面
２４ｄ    操作部台座
２５ｈ    弾性絶縁体
２６ａ、２６ｂ、２６ｄ、  ２６ｆ、２６ｇ、２６ｉ    絶縁板
２７ａ    導体線
２７ａａ、２７ａｂ    導体線端部
２８ｉａ    タッチ操作部
２８ｉｂ    遠隔操作部
２９ｉ、２９ｊ    台座
３０ａ、３０ｂ、３０ｃａ、３０ｃｂ、３０ｋａ、３０ｋｂ、３０ｘ、３０ｙ、３０ｚ
矢印
４０ｄａ、４０ｄｂ、４０ｅａ、４０ｅｂ、４０ｅｃ、４０ｆａ、４０ｆｂ、４０ｇａ、４０ｇｂ、４０ｈａ、４０ｈｂ    切断面
１００    操作主体
２００    導電体
【図１】
2016206764.tif 000003
【図２】
2016206764.tif 000004
【図３】
2016206764.tif 000005
【図４】
2016206764.tif 000006
【図５】
2016206764.tif 000007
【図６】
2016206764.tif 000008
【図７】
2016206764.tif 000009
【図８】
2016206764.tif 000010
【図９】
2016206764.tif 000011
【図１０】
2016206764.tif 000012
【図１１】
2016206764.tif 000013
【図１２】
2016206764.tif 000014
【図１３】
2016206764.tif 000015
【図１４】
2016206764.tif 000016
【図１５】
2016206764.tif 000017
【図１６】
2016206764.tif 000018
【図１７】
2016206764.tif 000019
【図１８】
2016206764.tif 000020
【図１９】
2016206764.tif 000021
【図２０】
2016206764.tif 000022
【図２１】
2016206764.tif 000023
【図２２】
2016206764.tif 000024
【図２３】
2016206764.tif 000025
【図２４】
2016206764.tif 000026
【図２５】
2016206764.tif 000027
【図２６】
2016206764.tif 000028
【図２７】
2016206764.tif 000029
【図２８】
2016206764.tif 000030
【図２９】
2016206764.tif 000031
【図３０】
2016206764.tif 000032
【図３１】
2016206764.tif 000033
【図３２】
2016206764.tif 000034
【図３３】
2016206764.tif 000035
【図３４】
2016206764.tif 000036